(57)【要約】      （修正有）【課題】薬を塗布する機能を備えた孫の手において、簡単な構造で塗布機能部分を清潔に保ちやすく、孫の手の機能も十分に発揮することができる薬塗布機能付き孫の手を提供する。【解決手段】薬を塗布する機能を備えた孫の手であって、柄１０と、柄端に取り付けられた掻手部２０と、薬を塗布するための回転部３０と、を備える。掻手部は、一対の支持部２１１を有し枠型に設けられたフレーム部２１と、フレーム部から延出する掻爪２２と、フレーム部の端部に設けられ柄の一端を接続する接続部２３と、を有する。回転部は、一対の支持部の間に着脱自在に取り付けられる。【選択図】図１
0003214618.tif 000002
【実用新案登録請求の範囲】
【請求項１】
薬を塗布する機能を備えた孫の手であって、
柄と、
前記柄に取り付けられた掻手部と、
前記薬を塗布するための回転部と、
を備え、
前記掻手部および前記回転部の両方が前記柄の一端側に設けられ、
前記回転部が前記掻手部に着脱自在に取り付けられた、薬塗布機能付き孫の手。
【請求項２】
薬を塗布する機能を備えた孫の手であって、
柄と、
前記柄に取り付けられた掻手部と、
前記薬を塗布するための回転部と、
を備え、
前記掻手部は、
一対の支持部を有し枠型に設けられたフレーム部と、
前記フレーム部から延出する掻爪と、
前記フレーム部の端部に設けられ前記柄を接続するための接続部と、を有し、
前記回転部は、前記一対の支持部の間に着脱自在に取り付けられた、薬塗布機能付き孫の手。
【請求項３】
前記回転部の中心には貫通孔が設けられ、前記貫通孔を貫通する支軸を有し、
前記支軸が前記一対の支持部に対してねじによって着脱自在に取り付けられている、請求項２記載の薬塗布機能付き孫の手。
【請求項４】
前記柄は伸縮自在に設けられた、請求項２または３に記載の薬塗布機能付き孫の手。
【請求項５】
前記柄は湾曲形状を有し、前記フレーム部に対する湾曲の向きを変更可能に設けられた、請求項２から４のいずれか１項に記載の薬塗布機能付き孫の手。
【考案の詳細な説明】
【技術分野】
【０００１】
本考案は、薬塗布機能付き孫の手に関し、より詳しくは、掻爪を有する掻手部と、薬を塗布するための回転部とを備えた薬塗布機能付き孫の手に関するものである。
【背景技術】
【０００２】
孫の手は、背中などの手の届かない箇所を掻くときに便利な器具である。このような孫の手において、掻爪による掻き機能と、薬を塗布できる機能とを備えたものも考えられている。
【０００３】
特許文献１には、携帯式治療具ホルダーが開示される。この携帯式治療具ホルダーでは、第１取手と第２取手が接続部で接続され、第１把手に掻手部が設けられ、第２取手にはホルダーが脱着自在にボルト止めされている。このホルダーに湿布薬を脱着自在に装着できるようになっている。
【０００４】
特許文献２には、孫の手本体に消炎鎮痛剤等を挟むことができる孫の手が開示される。この孫の手では、孫の手本体を上下に対面させて上下かみ合い交差する方向にバネ付勢した構成となっている。この上下かみ合いの孫の手本体を、消炎鎮痛剤等を塗布する時に使用する物品把持部として利用する。
【０００５】
特許文献３には、湿布貼り器が開示される。この湿布貼り器では、棒の一方端にスポンジ材等のクッション性を有するローラ部分を取り付け、棒の他方端を幅広の人の手状にした構成となっている。
【０００６】
特許文献４には、多用途孫の手が開示される。この多用途孫の手では、孫の手の先端に回転体を設け、その回転体の周囲に各種の作用器具を取付け、目的に応じて回転体を回して作用器具の位置を合わせることができるようにするとともに、背中掻きのためには、皮膚の状態に応じた形状や材料を選択可能にし、薬剤の塗布や薬剤を塗付したシ−トを張り付け可能にしている。
【０００７】
特許文献５には、多用途健康器が開示される。この多用途健康器は、柄の一端に取っ手を備えており、もう一方のやや大きくした柄の先端部には、坐具に設けた差し込み部を差し込み可能にした差し込み穴が設けられる。そして、差し込み部を有する坐具には健康器の機能部の各取り付け部を取り付け、先端部に設けた差し込み穴に交換可能にし、複数機能部の一を選択的に取り付けることができるようにしている。
【先行技術文献】
【特許文献】
【０００８】
【特許文献１】特開２０１７−０４７１４５号公報
【特許文献２】特開２００５−２８８０８４号公報
【特許文献３】特開２００５−２６１８９９号公報
【特許文献４】特開平１０−０７５９８６号公報
【特許文献５】特開２０００−１０７２４５号公報
【考案の概要】
【考案が解決しようとする課題】
【０００９】
孫の手において、薬を塗布できる機能を持たせた場合、塗布機能部分には薬が付着することになる。このため、使用後には綺麗に拭き取って清潔にしておきたい。しかし、塗布機能部分の構成が複雑になると付着した薬が細かい部分に入り込み、綺麗に拭き取ることが難しくなる。できれば塗布機能部分を水洗いできるようにしておくことが望まれる。また、孫の手が多機能になるほど孫の手としての機能性の低下が懸念される。
【００１０】
本考案の目的は、薬を塗布する機能を備えた孫の手において、簡単な構造で塗布機能部分を清潔に保ちやすく、孫の手の機能も十分に発揮することができる薬塗布機能付き孫の手を提供することである。
【課題を解決するための手段】
【００１１】
本考案の一態様は、薬を塗布する機能を備えた孫の手であって、柄と、柄に取り付けられた掻手部と、薬を塗布するための回転部と、を備え、掻手部および回転部の両方が柄の一端側に設けられ、回転部が掻手部に着脱自在に取り付けられた薬塗布機能付き孫の手である。
【００１２】
このような構成によれば、柄の一端側に掻手部および回転部の両方が集約されているため、柄を持って掻き動作または薬の塗動作を行う場合のバランスが変わらない。これにより、使用者は掻き動作および薬の塗動作の両方の動作を容易に使い分けることができる。また、回転部を簡単に取り外して清掃することもできる。
【００１３】
本考案の一態様は、薬を塗布する機能を備えた孫の手であって、柄と、柄に取り付けられた掻手部と、薬を塗布するための回転部と、を備える。掻手部は、一対の支持部を有し枠型に設けられたフレーム部と、フレーム部から延出する掻爪と、フレーム部の端部に設けられ柄を接続するための接続部と、を有する。回転部は、一対の支持部の間に着脱自在に取り付けられる。
【００１４】
このような構成によれば、柄の一端に掻手部が取り付けられるとともに、この掻手部のフレーム部に薬を塗布するための回転部が設けられていることから、柄の一端側に掻き機能と薬塗布機能とを集約することができる。また、回転部がフレーム部の一対の支持部の間に着脱自在に取り付けられているため、回転部を簡単に取り外して清掃することができる。
【００１５】
上記薬塗布機能付き孫の手において、回転部の中心には貫通孔が設けられ、この貫通孔を貫通する支軸を有し、支軸が一対の支持部に対してねじによって着脱自在に取り付けられていてもよい。これにより、ねじを外すことで支軸が取り外され、回転部をフレーム部から容易に取り外すことができる。また、回転部は中央に貫通孔が設けられた単純な形状となるため、清掃が容易となる。
【００１６】
上記薬塗布機能付き孫の手において、柄は伸縮自在に設けられていてもよい。これにより、柄の長さを調節して必要な位置の掻きや薬の塗布を容易に行うことができる。
【００１７】
上記薬塗布機能付き孫の手において、柄は湾曲形状を有し、フレーム部に対する湾曲の向きを変更可能に設けられていてもよい。これにより、柄の湾曲の向きを使いやすい方向にして、背中など手の届きにくい箇所も容易に掻いたり、薬を塗布したりすることができるようになる。
【考案の効果】
【００１８】
本考案によれば、薬を塗布する機能を備えた孫の手において、簡単な構造で塗布機能部分を清潔に保ちやすく、孫の手の機能も十分に発揮することができる薬塗布機能付き孫の手を提供することが可能になる。
【図面の簡単な説明】
【００１９】
【図１】本実施形態に係る薬塗布機能付き孫を例示する斜視図である。
【図２】（ａ）および（ｂ）は、本実施形態に係る薬塗布機能付き孫を例示する図である。
【図３】（ａ）および（ｂ）は、掻手部を示す斜視図である。
【図４】（ａ）および（ｂ）は回転部および止め金具を例示する斜視図である。
【図５】柄の取り付けについて例示する分解斜視図である。
【図６】本実施形態に係る薬塗布機能付き孫の分解斜視図である。
【図７】（ａ）および（ｂ）は他の柄について例示する斜視図である。
【考案を実施するための形態】
【００２０】
以下、本考案の実施形態を図面に基づいて説明する。なお、以下の説明では、同一の部材には同一の符号を付し、一度説明した部材については適宜その説明を省略する。
【００２１】
図１は、本実施形態に係る薬塗布機能付き孫を例示する斜視図である。
図２（ａ）および（ｂ）は、本実施形態に係る薬塗布機能付き孫を例示する図であり、（ａ）は側面図、（ｂ）は平面図である。
なお、説明の都合上、図１において固定ねじ４２は外れた状態で示されている。
【００２２】
本実施形態に係る薬塗布機能付き孫の手１は、薬を塗布する機能を備えた孫の手である。薬としては、軟膏などの皮膚外用剤や乳剤性基剤を用いたクリームなどが含まれる。薬塗布機能付き孫の手１は、棒状の柄１０と、柄１０の一端に取り付けられた掻手部２０と、薬を塗布するための回転部３０とを備えている。掻手部２０および回転部３０の両方は柄１０の一端側に設けられる。
【００２３】
棒状の柄１０は、長さ固定でもよいし伸縮自在に設けられていてもよい。伸縮自在に設けられていれば、好みの長さに調節して掻手部２０や回転部３０の操作を行いやすくすることができる。伸縮自在に設ける場合、例えば伸び縮み可能な多段のロッドが用いられる。本実施形態では一例として３段のロッドによって柄１０が構成され、ロッドの伸び縮みによって薬塗布機能付き孫の手１の全長が約６００ｍｍ程度から１５０ｍｍ程度の間で伸縮可能となっている。柄１０の最も太いロッド（後端側のロッド）は手で握りやすい太さ（例えば１０ｍｍ程度）に設けられている。
【００２４】
掻手部２０は、一対の支持部２１１を有し枠型に設けられたフレーム部２１を有する。この枠型のフレーム部２１の先端から掻爪２２が延出するよう設けられる。掻爪２２は例えば手の指の形を模しており、先端に向かうに従い湾曲している。掻爪２２が湾曲していることで背中など手の届きにくい場所でも確実に掻くことができる。
【００２５】
フレーム部２１の後端（掻爪２２とは反対側の端部）には、柄１０の一端を接続する接続部２３が設けられる。例えば、接続部２３にはインサートねじ２３１が埋め込まれている。インサートねじ２３１は例えば雌ねじを有する。一方、柄１０の一端側には雄ねじ１０１が設けられており、この雄ねじ１０１をインサートねじ２３１の雌ねじと螺合することにより柄１０を接続部２３に固定することができる。なお、接続部２３は螺合以外（例えば、嵌合）によって柄１０を取り付けられるようになっていてもよい。
【００２６】
回転部３０は、例えば円筒形状のローラである。回転部３０は、フレーム部２１における一対の支持部２１１の間に着脱自在に取り付けられる。一対の支持部２１１は所定の間隔をあけて平行に設けられている。この一対の支持部２１１の間に回転軸が渡るように回転部３０を取り付けている。回転部３０は、止め金具４１によって支持部２１１に取り付けられる。止め金具４１は回転部３０の中心を貫通しており、止め金具４１の中心軸が回転部３０の回転軸となる。
【００２７】
止め金具４１は一対の支持部２１１の一方側から回転部３０の中心を貫通して一対の支持部２１１の他方側まで通され、固定ねじ４２によって固定される。これにより、回転部３０は一対の支持部２１１の間に設けられた空間２１ｈ内に配置された状態で、止め金具４１を軸としてフレーム部２１に回転可能に取り付けられる。
【００２８】
回転部３０は、掻手部２０の掻爪２２の湾曲している方向とは反対側に出っ張り、掻爪２２の湾曲している方向には出っ張らないように設けられる。回転部３０の外周表面に薬を付けておき、回転部３０を患部に当てて転がすことで外周表面に付けた薬が患部に転写される。
【００２９】
このような薬塗布機能付き孫の手１では、柄１０の一端に掻手部２０と回転部３０とが取り付けられる。すなわち、柄１０の一端側に掻き機能と薬塗布機能とが集約される。掻手部２０を人の手と考えた場合、指先が掻爪２２、手の甲の位置に回転部３０が設けられることになる。柄１０の一端側に設けられた掻手部２０に掻爪２２と回転部３０とがまとまって設けられていることで、使用者が柄１０を持った際のバランスが良く、掻き動作や薬を塗る操作を行いやすい。
【００３０】
また、使用者は、柄１０の握りを柄１０の軸回りに１８０度回転させることで、掻爪２２による掻き機能と、回転部３０による薬塗布機能とを容易に使い分けることができる。
【００３１】
本実施形態では、回転部３０の掻爪２２の湾曲する側は、フレーム部２１よりも突出していない。一方、回転部３０の掻爪２２の湾曲する方向とは反対側はフレーム部２１よりも突出している。したがって、掻爪２２で掻く場合に回転部３０が邪魔になることはなく、回転部３０で薬を塗布する場合に掻爪２２やフレーム部２１が邪魔になることはない。
【００３２】
また、本実施形態に係る薬塗布機能付き孫の手１では、回転部３０がフレーム部２１の一対の支持部２１１の間に着脱自在に取り付けられている。すなわち、止め金具４１の固定ねじ４２を外すことで、回転部３０を簡単にフレーム部２１から取り外すことができる。回転部３０を簡単に取り外すことができるため、取り外した回転部３０の単体で清掃しやすくなる。例えば、回転部３０を水洗いすることで、回転部３０に残った薬を洗い流し、清潔に保つことができる。
【００３３】
図３（ａ）および（ｂ）は、掻手部を示す斜視図である。
掻手部２０には例えば樹脂の成形品が用いられる。枠型のフレーム部２１の一対の支持部２１１には支持孔２１１ｈが設けられており、この支持孔２１１ｈに回転部３０を固定する止め金具４１が挿入される。フレーム部２１の掻爪２２とは反対側である接続部２３にはインサートねじ２３１が埋め込まれている。インサートねじ２３１は掻手部２０を製造する樹脂成形の際にインサート成形によって埋め込まれる。
【００３４】
図４（ａ）および（ｂ）は回転部および止め金具を例示する斜視図である。
図４（ａ）には回転部３０が示され、図４（ｂ）には止め金具４１および固定ねじ４２が示される。
回転部３０は例えば樹脂の成形品である。回転部３０は円筒型の回転部本体３１を有し、回転部本体３１の中心に貫通孔３１ｈが設けられ、この貫通孔を貫通する支軸として止め金具４１が用いられる。回転部３０の貫通孔３１ｈの内径は、止め金具４１の外径よりも僅かに大きく設けられている。これにより、回転部３０は止め金具４１を支軸として回転自在に支持部２１１に取り付けられる。
【００３５】
止め金具４１の先端には雌ねじ部４１０が設けられており、この雌ねじ部４１０に固定ねじ４２に雄ねじ部４２０が螺合される。固定ねじ４２が止め金具４１に螺合されていることで、固定ねじ４２を締めた際には回転部３０をしっかり固定できるとともに、固定ねじ４２を外すことで回転部３０から止め金具４１を簡単に抜くことができる。
【００３６】
また、回転部３０は中央に貫通孔３１ｈが設けられた単純な形状（例えば、円筒形状）であるため、清掃しやすく、清潔に保ちやすい。回転部３０の外周表面は平坦であってもよいし、凹凸が設けられていてもよい。凹凸を設けることで塗布したい薬が凹凸で留まり、回転部３０の外周表面から脱落しにくくなる。このような凹凸が設けられていても、使用後は回転部３０を外して水洗いなどで清掃できるため、清潔に保つことができる。
【００３７】
図５は、柄の取り付けについて例示する分解斜視図である。
柄１０は、例えば第１ロッド１１、第２ロッド１２および第３ロッド１３の３段のロッドを備え、各ロッド間の摺動によって伸縮可能に設けられている。柄１０の一端側（第３ロッド１３の先端側）には雄ねじ１０１が設けられる。この雄ねじ１０１をインサートねじ２３１の雌ねじに螺合することで柄１０が掻手部２０の接続部２３に固定される。
【００３８】
図６は、本実施形態に係る薬塗布機能付き孫の分解斜視図である。
本実施形態に係る薬塗布機能付き孫の手１は、柄１０、掻手部２０および回転部３０の個々の要素に簡単に分解可能である。すなわち、止め金具４１に螺合された固定ねじ４２を外すことで止め金具４１が回転部３０の貫通孔３１ｈから抜かれ、これによって回転部３０をフレーム部２１の一対の支持部２１１の間から取り外すことができる。分解が容易なため、回転部３０や掻手部２０の拭き掃除や水洗いが容易となる。また、回転部３０や掻手部２０の細部まで清掃しやすく、清潔に保つことができる。
【００３９】
図７（ａ）および（ｂ）は他の柄について例示する斜視図である。
図７（ａ）および（ｂ）に示す柄１０Ｂは、湾曲形状を有している。また、柄１０Ｂのフレーム部２１に対する湾曲の向きは、図７（ａ）に示す向きや図７（ｂ）に示す向きのように変更可能になっている。
【００４０】
図７（ａ）に示す柄１０Ｂの湾曲の向きは、掻手部２０の掻爪２２の湾曲の方向と同じである。一方、図７（ｂ）に示す柄１０Ｂの湾曲の向きは、掻手部２０の掻爪２２の湾曲の方向とは反対側である。柄１０Ｂの湾曲の向きはこれらに限定されない。
【００４１】
例えば、柄１０Ｂの途中を蛇腹状にしておき、蛇腹状の部分を任意の方向に曲げることで、使用者の好みの方向へ柄１０Ｂを湾曲させることができる。また、柄１０Ｂを多段のロッドにしておき、握りとなるロッドのみを湾曲形状にしておく。この湾曲形状のロッドを隣接するロッドに対して捩るようにすることで、柄１０Ｂの湾曲の向きを変えることができる。
【００４２】
このように柄１０Ｂが湾曲しており、湾曲の向きを変えられるようにしておくことで、使用者にとって使いやすい方向に湾曲の向きを選択することができる。これにより、背中など手の届きにくい箇所も容易に掻いたり、薬を塗布したりすることができるようになる。
【００４３】
以上説明したように、本実施形態に係る薬塗布機能付き孫の手１によれば、簡単な構造で塗布機能部分である回転部をフレーム部から容易に取り外して薬を拭き取ったり、水洗いしたりして清潔に保つことができるとともに、孫の手本来の機能も十分に発揮して手の届きにくい箇所を確実に掻くことができる。
【００４４】
なお、上記に本実施形態およびその適用例を説明したが、本考案はこれらの例に限定されるものではない。例えば、上記実施形態では棒状の柄１０の例を示したが、柄１０は棒状以外の形状、例えば、手で握りやすいグリップ型や手を嵌めることができるリング型などであってもよい。また、回転部３０は円筒型のローラに限定されず、ラグビーボール型や球状であってもよい。また、前述の例に対して、当業者が適宜、構成要素の追加、削除、設計変更を行ったものや、各例の特徴を適宜組み合わせたものも、本考案の要旨を備えている限り、本考案の範囲に包含される。
【産業上の利用可能性】
【００４５】
本実施形態では薬塗布機能付き孫の手１として掻き機能と薬塗布機能とを例示したが、例えば回転部３０を用いてマッサージしてもよいし、回転部３０を肩たたきとして利用してもよい。また、一対の支持部２１１の間に取り付けるものとして回転部３０以外の種々の形のものを用意しておき、交換可能にしておくことで、多機能型の健康器具としても利用可能となる。
【符号の説明】
【００４６】
１…薬塗布機能付き孫の手
１０，１０Ｂ…柄
１１…第１ロッド
１２…第２ロッド
１３…第３ロッド
２０…掻手部
２１…フレーム部
２１ｈ…空間
２２…掻爪
２３…接続部
３０…回転部
３１…回転部本体
３１ｈ…貫通孔
４１…止め金具
４２…固定ねじ
１０１…雄ねじ
２１１…支持部
２１１ｈ…支持孔
２３１…インサートねじ
４１０…雌ねじ部
４２０…雄ねじ部
【図１】
0003214618.tif 000003
【図２】
0003214618.tif 000004
【図３】
0003214618.tif 000005
【図４】
0003214618.tif 000006
【図５】
0003214618.tif 000007
【図６】
0003214618.tif 000008
【図７】
0003214618.tif 000009